(57)【要約】【課題】  外箱の剛性が高く、断熱性も充分にある容器であって、作業性も高く、かつ、廃棄性も高い加熱用容器を得る。【解決手段】  発熱反応を起こして加熱可能な発熱剤（２）と、その発熱剤によって調理、あるいは加温される被加熱物とを収納した加熱用容器（１）において、加熱用容器は、少なくとも、底面に設けた底板と、側面全周を覆う側板とを有する外箱（１１）と、外箱の底板と側板の内面に沿って設けられた、一枚の防水シートを折り曲げた断熱体からなる内容器（１２）とからなり、前記外箱が、パルプモールド法で製造されていることを特徴とする加熱用容器。【選択図】図５
2016216096.tif 000002
【特許請求の範囲】
【請求項１】
発熱反応を起こして加熱可能な発熱剤と、その発熱剤によって調理、あるいは加温される被加熱物とを収納した加熱用容器において、
加熱用容器は、少なくとも、底面に設けた底板と、側面全周を覆う側板とを有する外箱と、
外箱の底板と側板の内面に沿って設けられた、一枚の防水シートを折り曲げた断熱体からなる内容器とからなり、
前記外箱が、パルプモールド法で製造されていることを特徴とする加熱用容器。
【請求項２】
前記発熱剤は、水、又は水溶液と反応し、発熱反応を起こす発熱剤であることを特徴とする請求項１に記載の加熱用容器。
【請求項３】
外箱は、自在に開閉可能な蓋部を有することを特徴とする請求項１又は２に記載の加熱用容器。
【発明の詳細な説明】
【技術分野】
【０００１】
本発明は、発熱剤を使用して、水や酒、レトルト食品などの食品を加熱させるための加熱用容器に関するものである。
【背景技術】
【０００２】
近年、いつ発生するかもしれないと恐れられている東海大地震、東南海地震、などでも、災害時の為に準備する携帯用食品は、電気やガスなどが無い場合でも、いつでも、どこでも、食すことができるように、どんな環境でも生き抜くすべとして、重要なものである。
特に冷え切った冬季に災害にあったり、高山での被災であれば、なおさら、加熱された食品があれば、人は生き抜くことが出来る。
このような、食品を手軽にどこでも加熱できる機構として、粉体の酸化カルシウム、過酸化ナトリウム及びアルミニウムを含む混合物や酸化カルシウム（生石灰）などの発熱剤は、水や水溶液と接触させれば、発熱反応を起こすことが出来る。このような発熱剤を使って、水や飲料などの液体を火やガスや電気などを使わずに簡単に加熱するための加熱用容器が知られている。
【０００３】
通常、二重構造の容器になっていて、内容器下側に発熱剤が装填されていて、内容器と外容器の間に水等を注入する。そして、内容器に水等が浸透して発熱反応を開始させ、加熱、加温するものである。
又は、発熱剤の入った袋、あるいは水溶液が入った袋を、外側からの衝撃によって破袋し、水溶液と発熱剤が混じり合う機構によって、発熱反応を開始させるものである。
このような加熱容器は、それぞれ、プラスチックや紙など多種の素材で出来ていて、かつ、がさばっていたので、廃棄する時に分別処理廃棄するのに、面倒な問題があった。
【０００４】
このような問題に対し、特許文献１では、水又は水溶液との発熱反応を起こす発熱剤と、その熱によって加熱させる被加熱物を入れた内容器とを収容させる加熱用容器であって、少なくとも底部とその外縁を囲繞する側壁部とを有する折畳み自在の中空の外箱と、その外箱の前記底部の上面と前記側壁部の内面に沿って配置されるように一枚の防水シートを折り曲げて容器状に形成される防水層部とを備えたことを特徴とする加熱用容器を提案している。
【０００５】
しかしながら、この加熱用容器は、外箱が廃棄性と断熱性を考慮した仕様ではあるが、水などを入れる発熱機構が追加されているので、重量もあり、発熱して温度が上がるので、外箱自体の強度が必要である。しかし、簡便性を重要視した仕様になっているので、箱の剛性を上げられず、持ちにくく、かつ、断熱性も不充分だという問題があった。
【先行技術文献】
【特許文献】
【０００６】
【特許文献１】特開２０１４−１２４４１５号公報
【発明の概要】
【発明が解決しようとする課題】
【０００７】
そこで、外箱の剛性が高く、断熱性も充分にある容器であって、作業性も高く、かつ、廃棄性も高い加熱用容器を得ることが本発明の課題である。
【課題を解決するための手段】
【０００８】
本発明の加熱用容器は、発熱反応を起こして加熱可能な発熱剤と、その発熱剤によって調理、あるいは加温される被加熱物とを収納した加熱用容器において、
加熱用容器は、少なくとも、底面に設けた底板と、側面全周を覆う側板とを有する外箱と、
外箱の底板と側板の内面に沿って設けられた、一枚の防水シートを折り曲げた断熱体からなる内容器とからなり、
前記外箱が、パルプモールド法で製造されていることを特徴とする加熱用容器である。
【発明の効果】
【０００９】
本発明の加熱用容器は、内容器として、一枚の防水シートを折り曲げた断熱体から作られているので、簡便で、折り畳み性も高く、廃棄もしやすい。
又、外容器はパルプモールド法で製造されている。内部に空気層を多く含んだ古紙などで出来ているので、断熱性も高く、かつ、剛性も高く、かつ、廃棄し易い。
【図面の簡単な説明】
【００１０】
【図１】本発明の加熱用容器の一例で、加熱用容器の使用形態を示す構成図である。
【図２】本発明の加熱用容器に用いる一枚の防水シートを折り曲げた断熱体からなる内容器の例を示す展開図である。
【図３】本発明の加熱用容器に用いる一枚の防水シートを折り曲げた断熱体からなる内容器の斜視図である。
【図４】本発明の加熱用容器の一例で、外箱に内容器を挿入する説明図である。
【図５】本発明の加熱用容器の一例で、ボトルを加熱用容器に収納し、加熱している状況を示す斜視図と断面図である。
【発明を実施するための形態】
【００１１】
以下、本発明の加熱用容器の実施形態例について、図を用いて詳細に説明する。
図１は本発明の加熱用容器の一例で、加熱用容器の使用形態を示す構成図である。
加熱用容器１は、外箱１１と内容器１２からなり、内容器１２の中に発熱剤２と水溶液３を投入し、そこへ被加熱容器４を入れる。
【００１２】
発熱剤２としては、例えば、酸化カルシウムとアルミニウムとを混合した発熱主剤と、炭酸ナトリウム、炭酸カリウム、炭酸マグネシウムなどの炭酸塩を混合した発熱助剤を、水が浸透可能な不織布、和紙又は合成紙等の透水性の袋体に充填したものを用いると良い。
このような発熱剤２の入った透水性の袋体に水を注ぐと、袋体から浸透した水が発熱主剤中の酸化カルシウムと発熱反応して水酸化カルシウムを生成する。
さらに、初期反応で生成された水酸化カルシウムは、炭酸塩を触媒として、アルミニウムと反応し、アルミン酸カルシウムや、テトラヒドロキソアルミン酸ナトリウムに変化しながら、９８℃の高温で２０分〜４０分間発熱させることが出来る。
酸化カルシウムとアルミニウムが混合した発熱剤の他に、酸化カルシウムだけの発熱剤であっても、また、炭酸塩の発熱助剤を用いない発熱剤であってもかまわない。
【００１３】
外箱１１はパルプモールド法によって製造されるパルプ製の箱で、外箱１１には、蓋１１１を設けてあり、ヒンジ１１２で繋がっている。また、被加熱容器４の注出口やキャップ４１部分は、外箱１１の外に出すことが出来るよう、蓋１１１に開口部１１３を設けた。
もちろん、注出口やキャップ４１も加熱用容器１の中に納まる大きさにして、蓋１１１に開口部１１３を開けないで、熱効率の高い加熱用容器１にしてもかまわない。
【００１４】
図２は、本発明の加熱用容器の内容器に用いる一枚の防水シートで、そのシートを折っ
て内容器に組み立てる為の展開図である。
図２−１は、内容器の内壁１２１を立ち上げ、余った防水シートを内壁外側面に巻き付けるタイプの展開図で、実線の山折り罫と、破線の谷折り罫をそれぞれ折ることで、容易に内容器を組み立てることができる。
正方形の防水シートの中央を正方形の底部１２０とし、その縦・横の側辺の延長で、底部に隣接した内壁１２１を設けた。
底部の４隅から側辺に対して１３５度に、傾斜山折り罫１２３を設けた。
内壁１２１の時計回り側に、内壁の幅よりもわずかに広めで平行に、内壁左側辺１２１０も含め、傾斜山折り罫１２３までの長さで、巻き山折り罫１２４を設けた。
内壁１２１の反時計回り側に、内壁の幅よりもわずかに広めで平行に、内壁右側辺１２１１も含め、傾斜山折り罫１２３までの長さで、巻き谷折り罫１２５を設けた。
巻き山折り罫１２４からシート４隅方向へ内壁の幅で並行に離した位置に折り返し山折り罫１２９を設け、巻き谷折り罫１２５からシート４隅方向へ内壁の幅で並行に離した位置にも折り返し山折り罫１２９を設ける。
折り返し山折り罫１２９同士の交点から先の傾斜山折り罫１２４は、谷折り罫に変化させて、傾斜谷折り罫１２４０とする。
内容器の内壁１２１を立ち上げ、余った防水シートを内壁外側面に巻き付けるこのタイプでは、巻き山折り罫１２４や巻き谷折り罫１２５をさらに加えて複数設け、内壁１２１の周囲を３重、４重に巻き付ける内容器にしても良い。
【００１５】
図２−２は、内容器の内壁を立ち上げ、余った防水シートをチューリップ状に折り込んで、左右の内壁外側面を覆うタイプの展開図で、実線の山折り罫と、破線の谷折り罫をそれぞれ折ることで、容易に内容器を組み立てることができる。
正方形の防水シートの中央を正方形の底部１２０とし、その縦・横の側辺の延長に、内壁谷折り罫１２１２を設け、底部に隣接した内壁１２１を設けた。
底部１２０の４つの角から伸びる２本の内壁谷折り罫１２１２は、直角になっているが、その直角の角を４等分する３本の山折り罫を設ける。３本の内、両端は三角山折り罫１２６、中央を中央山折り罫１２７とする。中央山折り罫１２７は、三角山折り罫１２６のシート端部との交点同士を結ぶ２点を繋ぐ折り畳み山折り罫１２８から外側は、中央山折り罫１２７から代わって中央谷折り罫１２７０とした。
【００１６】
ここで、防水シートは、内側にポリエチレン樹脂やポリプロピレン樹脂などの疎水性樹脂による防水層を設け、その外側には、折り曲げ易いように、紙などの素材を用いることが好ましい。
【００１７】
図３は、本発明の加熱用容器の内容器で、一枚の防水シートから折り込んで組み立てられた内容器の斜視図である。
図３−１は、内壁外側面に巻き付けたタイプの図２−１の展開図から折り込んで組み立てられた内容器１２である。内容器の内壁１２１を正方形の底部１２０に対して垂直に立ち上げ、余った防水シートを巻き込み部１２３１とし、巻き込み部１２３１を傾斜山折り罫１２３で折って二重に折り合わせる。
この時、巻き込み部１２３１の折り畳まれた端部は、折り返し山折り罫１２９によって、折り返すように折り合わされた巻き込み部１２３１の中に折り込む。
その巻き込み部１２３１を、巻き山折り罫１２４や巻き谷折り罫１２５で内壁１２１の角に合わせて折り曲げて巻き込んで作られる。
巻き付け部分と内壁外側面とは、ホットメルト接着剤などでポイント状に接着してもかまわない。内容器１２の内壁外周に、二重、４重、６重に折り畳まれた防水シートが巻き付けられているので、その部分は薄い空気層ができ、断熱効果の高い外壁になる。
【００１８】
図３−２は、内壁外側面の角に、チューリップ状の折り込み部を重ねて断熱性をアップ
した図２−２の展開図から折り込んで組み立てられた内容器１２である。
予め、シートの４隅の折り畳み山折り罫１２８で折って、中央山折り罫１２７で山折りし、内壁谷折り罫１２１２を折って、内容器の内壁１２１を底部１２０に対して垂直に立ち上げると、折り込み部１２７１が中央山折り罫１２７で半分に折り畳まれた形になって、内壁１２１同士が合わさる垂直線の隅から左右２方へ伸びる。
この折り込み部１２７１の中央折り罫１２７が内壁谷折り罫１２１２に合わせる様に折り畳み、三角山折り罫１２６で折り畳まれ、折り込み部１２７１が内壁１２１の外側に２重、あるいは３重に折り畳まれて覆う。
一部隣の折り込み部１２７１が重なるので、内容器１２の上端近くの内壁は、外側に６重に折り畳まれた防水シートが折り込まれ、断熱性の高い内容器になる。
この形状は、図３−１の巻き付けタイプよりも挿入し易い形状になっている。
巻き付けタイプと同様に、内壁外側面と折り込み部とは、ホットメルト接着剤などでポイント状に接着してもかまわない。
【００１９】
図４は、折り畳まれた内容器１２を、外箱１１に挿入する手順を示す。
単に、外箱１の蓋１１１を開け、内容器１２を真っ直ぐに、奥まで挿入する。
【００２０】
図５は、被加熱容器４を加熱用容器１に入れて加熱している様子を示す。
図５−１はその外観斜視図で、図５−２はその縦断面図である。
図１で示すように、外箱１１に入った内容器１２に、発熱剤２と水溶液３を投入し、そこへ被加熱容器４を入れている。
被加熱容器４の首部やキャップ４１は外箱１１の蓋１１１に設けた開口部１１３から出して、被加熱容器４を取り出しやすく、かつ、キャップ４１を開ける時に、持てないほど熱くならないようにしている。場合によっては、加熱用容器１に被加熱容器４を入れたまま、内容物を飲食することが出来る。
もちろん、より高温に加熱したい内容物を入れた被加熱容器４を入れる場合には、蓋１１１に開口部１１３が無いタイプの外箱１１にすることが良い。
【００２１】
本発明の加熱用容器の加熱は、加熱剤の種類や量、合わせる水溶液の素材や量によって加熱温度や加熱時間は異なるので、被加熱容器の内容物に合わせて選択される。
通常、数分間で加熱されるが、加熱の長いものでは４０分間以上、加熱温度は８５℃から９８℃程度にまで加熱可能である。
【００２２】
本発明の加熱用容器１に用いられる外箱１１は、パルプモールド法で製造されている。パルプモールド法で製造された外箱は、古紙を構成するパルプとバインダーの内、パルプを繋いでいるバインダーを水などで溶かして取り除き、パルプ単体としてから、水に溶かしたパルプを抄いて製造される。
内部に空気層を多く含んだ古紙などのパルプから出来て、３次元的に絡まった繊維で出来ているので、断熱性も高く、かつ、剛性も高い。その為、内部で被加熱容器が高温に加熱されている状態でも、外側を持っても、火傷などが起きにくい。
また、パルプが３次元状に絡み付いて立体的に成形されているので、非常に剛性が高く、変形しにくい。特に、内容物が重くて強く外箱を掴まなければならない時でも、変形しないので、容易に強く掴んで持つことが出来るなどのメリットがある。
しかも、この外箱は、水素結合だけで自己結合している材料からできているので、再生も容易で、廃棄し易い。
形状も網で作られた抄き型によって、自由に形状を作ることが出来るので、被加熱容器の形状に合わせて造ることが容易である。また、この外箱を使用すると、保温性と共に、高温においても形状を維持し易く、軽く、かつ、断熱性が高いので、加熱中であっても、持ち運ぶことが可能である。
外箱の内寸は、被加熱容器４の外径に対し、内容器１２の折り込み厚さだけ大きくして、
あまり内容器と被加熱容器との間に隙間を大きくし過ぎないことが好ましい。
【００２３】
本発明の内容器１２に用いられる防水シートは、紙とポリエチレンフィルムを貼り合せたようなものでもかまわない。
少なくとも、被加熱容器側には、高圧法低密度ポリエチレン、直鎖状低密度ポリエチレン、ポリプロピレン、エチレン・酢酸ビニル共重合体、エチレン・プロピレン共重合体、塩化ビニリデン、などの耐水性樹脂層を用い、他方は、合成紙を含む紙やポリプロピレンなどの少なくとも１００℃以上の耐熱層を有する防水シートで出来ていることが好ましい。もちろん、両方の性能を持っている材料であれば、単体であってもかまわない。
また、アルミ蒸着層やアルミ箔が入っていると、内部の熱を効率よく反射することで、保温効果がさらに向上する。
【００２４】
本発明の加熱容器に使用する被加熱容器は、ポリエチレンテレフタレート製延伸ブロー容器などの樹脂製容器であっても、アルミやブリキなどの金属缶であっても、ガラス製容器であってもかまわないが、熱伝導率が低い素材の場合は薄くしたりして、熱伝導性を高くした容器が好ましい。
また、被加熱容器に入れる被加熱物は、水などの液体でなくてもよく、レトルト食品などの流動体や固形の食べ物などであってもよい。
【００２５】
本発明の加熱用容器は以上の様なもので、形状を容易に作り易いパルプモールド法で成形された断熱性の高い外箱と、防水シートで内容器を形成させ、それらを組み合わせて用いているので、高温に加熱する場合であっても、断熱性が高いので火傷をしにくく、かつ、高温であっても剛性が高い容器なので、非常に扱い易い加熱用容器である。
しかも、廃棄する時に、内容器はシートになるので、かさばらず、外箱は容易に再生可能なパルプモールド成形品なので、環境負荷も少なく、形状の制約も少なく、被加熱容器に形状を合わせることが出来るなど、本発明のメリットは大きい。
【符号の説明】
【００２６】
１・・・・・・・・・加熱用容器
１１・・・・・・・・外箱
１１１・・・・・・・蓋
１１２・・・・・・・ヒンジ
１１３・・・・・・・開口部
１２・・・・・・・・内容器
１２０・・・・・・・底部
１２１・・・・・・・内壁
１２１０・・・・・・内壁左側辺
１２１１・・・・・・内壁左側辺
１２１２・・・・・・内壁谷折り罫
１２３・・・・・・・傾斜山折り罫
１２３１・・・・・・巻き込み部
１２４・・・・・・・巻き山折り罫
１２４０・・・・・・傾斜谷折り罫
１２５・・・・・・・巻き谷折り罫
１２６・・・・・・・三角山折り罫
１２７・・・・・・・中央山折り罫
１２７０・・・・・・中央谷折り罫
１２７１・・・・・・折り込み部
１２８・・・・・・・折り畳み山折り罫
１２９・・・・・・・折り返し山折り罫
２・・・・・・・・・発熱剤
３・・・・・・・・・水溶液
４・・・・・・・・・被加熱容器
４１・・・・・・・・キャップ
【図１】
2016216096.tif 000003
【図２】
2016216096.tif 000004
【図３】
2016216096.tif 000005
【図４】
2016216096.tif 000006
【図５】
2016216096.tif 000007